(57)【特許請求の範囲】
【請求項１】
合成反応を行う複数個の反応容器が配列されている反応ブロックと、前記反応ブロックの各反応容器に反応液を分注する分注手段と、前記反応容器内で合成反応を行うための合成プロトコルを記憶する合成プロトコル記憶手段とを備え、前記合成プロトコルに基づいて、前記反応容器内に複数種類の反応液を分注して合成を行うことで、前記反応容器内に合成化合物を生成する自動合成装置において、（ａ）前記合成プロトコル記憶手段から読み出された合成プロトコルを表示するプロトコル表示手段と、（ｂ）前記プロトコル表示手段によって表示された合成プロトコルの範囲を設定する範囲設定手段と、（ｃ）前記範囲設定手段に基づいて、合成プロトコルにおける個々の合成コマンドを決定するコマンド決定手段と、（ｄ）前記コマンド決定手段によって決定された合成コマンドのパラメータを読み出して表示して、前記合成コマンドのパラメータを変更してパラメータ設定を行うパラメータ設定手段と、（ｅ）前記パラメータ設定手段によって変更された合成コマンドのパラメータに基づいて、合成プロトコルを変更する合成プロトコル変更手段とを備え、
前記合成プロトコル変更手段は、前記範囲設定手段で設定された範囲の範囲内において、前記合成プロトコルを一括に変更し、
その際、前記範囲以外の部分における前記合成プロトコルは変更されないことを特徴とする自動合成装置。
【発明の詳細な説明】
【０００１】
【発明の属する技術分野】
この発明は、合成化合物を自動的に生成する自動合成装置に係り、特に、合成反応を行うための合成手順（合成プロトコル）を設定するための技術に関する。
【０００２】
【従来の技術】
製薬、ライフサイエンス、化学、材料等の研究分野において用いられる従来の自動合成装置は、合成反応を行う多数個の反応容器が配列された反応ブロックを備えており、予め設定された合成手順である合成プロトコルに基づいて、各反応容器内に試薬や溶媒などの反応液をそれぞれ分注するとともに、反応ブロックを例えば加熱、振動させることによって、各反応容器内における合成反応を促進させ、各反応容器内に合成化合物を生成するように構成されている。
【０００３】
合成プロトコルを設定するには、先ず、作業者が、合成プロトコル作成画面をモニタに表示させる。表示された合成プロトコル画面に直接手入力で合成プロトコルを設定する。或いは、過去に設定された合成プロトコルを読み出して、変更したい部分を直接手入力で設定する、または別の部分からコピー（複写）してその変更部分に対してペースト（貼付）を行う。
【０００４】
【発明が解決しようとする課題】
しかしながら、このような構成を有する従来例の場合には、次のような問題がある。
即ち、合成プロトコルは、試薬や溶媒などをそれぞれ分注する手順、反応ブロックを加熱、振動させる手順等、様々な手順を含んでいるので、直接手入力で設定する、またはコピーして貼付を行う従来の合成プロトコルの設定では手間がかかる。従って、作業者にとって、大きな負担となり、合成プロトコルの設定までの作業効率が悪くなる。また、様々な手順を含む合成プロトコルの設定は、作業者の入力設定ミスをも引き起こす。
【０００５】
この発明は、このような事情に鑑みてなされたものであって、合成反応を行うための合成プロトコルを簡単に設定することができる自動合成装置を提供することを課題とする。
【０００６】
【課題を解決するための手段】
本発明は、このような目的を達成するために、次のような構成をとる。
即ち、請求項１に記載の発明は、合成反応を行う複数個の反応容器が配列されている反応ブロックと、前記反応ブロックの各反応容器に反応液を分注する分注手段と、前記反応容器内で合成反応を行うための合成プロトコルを記憶する合成プロトコル記憶手段とを備え、前記合成プロトコルに基づいて、前記反応容器内に複数種類の反応液を分注して合成を行うことで、前記反応容器内に合成化合物を生成する自動合成装置において、（ａ）前記合成プロトコル記憶手段から読み出された合成プロトコルを表示するプロトコル表示手段と、（ｂ）前記プロトコル表示手段によって表示された合成プロトコルの範囲を設定する範囲設定手段と、（ｃ）前記範囲設定手段に基づいて、合成プロトコルにおける個々の合成コマンドを決定するコマンド決定手段と、（ｄ）前記コマンド決定手段によって決定された合成コマンドのパラメータを読み出して表示して、前記合成コマンドのパラメータを変更してパラメータ設定を行うパラメータ設定手段と、（ｅ）前記パラメータ設定手段によって変更された合成コマンドのパラメータに基づいて、合成プロトコルを変更する合成プロトコル変更手段とを備え、前記合成プロトコル変更手段は、前記範囲設定手段で設定された範囲の範囲内において、前記合成プロトコルを一括に変更し、その際、前記範囲以外の部分における前記合成プロトコルは変更されないことを特徴とする。
【０００７】
【作用】
請求項１に記載の発明の作用について説明する。
本発明に係る自動合成装置によれば、合成プロトコル記憶手段に記憶された合成プロトコルに基づいて、プロトコル表示手段は、その合成プロトコルを表示する。範囲設定手段は、プロトコル表示手段によって表示された合成プロトコルの範囲を設定する。コマンド決定手段は、合成プロトコルを構成付けている各々の手順、即ち合成コマンドに対して、範囲設定手段によって設定された範囲に基づいて、合成コマンドを決める。パラメータ設定手段は、その合成コマンドの要素を決めているパラメータを表示させ、新たにそのパラメータの設定を行う。合成プロトコル変更手段は、設定変更が行われたパラメータに基づいて、表示された元の合成プロトコルを変更させる。これにより、範囲設定手段で設定された範囲の合成プロトコルのみに対して、コマンド決定手段とパラメータ設定手段とによって決定されたパラメータの変更が行われる。
【０００８】
【発明の実施の形態】
以下、図面を参照してこの発明の一実施例を説明する。
図１はこの発明の実施例に係る有機自動合成装置の全体構成を示すブロック図である。図２は実施例装置の反応系の構成を示す平面図である。図３は実施例装置の反応ブロックの要部構成を示す概略図である。
【０００９】
実施例の自動合成装置は、図１に示すように、実際に合成反応が行われる反応系と、その反応系の動きを制御する制御系とを備えている。以下、実施例装置の反応系の構成から先に説明する。
【００１０】
実施例装置は、合成反応を行う複数個の反応容器２が配列されている反応ブロック１と、反応容器（反応ベッセル）２内に例えば試薬及び溶媒などの複数種類の反応液を所定の手順に従って分注する液体分注部３とを備えている。各反応容器２は、図２に示すように、縦横マトリックス状の配列で反応ブロック１に設置される。反応ブロック１に設置される反応容器２の数は、特定の数に限られず、例えば９６個や３８４個といった数十から数百前後の容器数が例示される。実施例装置の場合、試薬及び溶媒が共通の分注機構により反応容器２に分注供給される形態であるが、試薬と溶媒がそれぞれ別の分注機構によって分注供給されるような形態であってもよい。
【００１１】
液体分注部３は、シリンジ４とこのシリンジ４を左右（Ｘ）・前後（Ｙ）・上下（Ｚ）に移動させるシリンジ移動機構部５とを備え、制御系側からの指令信号に従ってシリンジ移動機構部５が作動して、シリンジ４が必要な位置へ移動されるように構成されている。
【００１２】
一方、反応ブロック１の傍らには、使用量が比較的多い薬液などが貯留されている大きめの頻用試薬容器（頻用試薬バイアル）６と、使用量が比較的少ない薬液などが貯留されている小さめの常用試薬容器（常用試薬バイアル）７とが、それぞれ必要本数セットするための場所が設けられている。また、反応ブロック１の傍らには、溶媒が貯留されている溶媒容器（ガロンビン）８を必要本数セットするための場所も設けられており、セットされた各溶媒容器８はそれぞれ送液ライン９によってシリンジ４と接続可能に構成されている。頻用試薬容器６や常用試薬容器７、溶媒容器８の装置へのセットは作業者によって行われる。なお、これら容器６，７，８に貯留されている試薬や溶媒は、この発明における反応液に相当する。
【００１３】
薬液を反応容器２に分注供給する場合、図１の中に点線で図示するように、シリンジ４を分注対象の薬液が貯留されている頻用試薬容器６あるいは常用試薬容器７の位置まで移動させてシリンジ針４ａから試薬を吸引させた後、シリンジ４の試薬を分注する反応容器２の位置へ移動させてから、吸引試薬をシリンジ針４ａから反応容器２へ注入する。
【００１４】
溶媒を反応容器２に分注供給する場合、分注対象の溶媒が貯留されている溶媒容器８から送液ライン９経由で溶媒をシリンジ４に導入させるとともに、シリンジ４を溶媒分注対象の反応容器２の位置へ移動させて、導入溶媒をシリンジ針４ａから反応容器２へ注入させる。なお、通常は上述のように、頻用試薬容器６あるいは常用試薬容器７の位置で液の吸引を行い、反応容器２の位置で液の注入を行うようシリンジ４を移動させるのであるが、実施例装置の場合、逆に、反応容器２の位置で液の吸引を行い、頻用試薬容器６あるいは常用試薬容器７の位置で液の注入を行うようシリンジ４を移動させることも可能な構成となっている。
【００１５】
実施例装置の反応ブロック１の場合、図３に示すように、各反応容器２の注入口を蓋するシート状の共通セプタム１０と、反応容器２の底側内部を塞ぐように各反応容器２ごとに取り付けられた加圧透液型フィルタ１１と、反応容器２の底に連通するよう各反応容器２ごとに配管されたドレイン１２が設けられているとともに、反応容器２の注入口側にガスボンベＧＢからの加圧気体（例えば高圧不活性ガス）を導入するガス導入ライン１３が設けられている。したがって、試薬注入あるいは溶媒注入の際には、シリンジ針４ａが共通セプタム１０を貫通して反応容器２の中まで進入することになる。また、各反応容器２の中には適当量の固相反応用のレジン粒１４がそれぞれ投入されている他、ガス導入ライン１３の末端には、開閉弁１５が設けられており、反応容器２に加圧気体を導入する時は開閉弁１５が閉じられるよう構成されている。
【００１６】
また、実施例装置には、合成反応実施中の反応ブロック１を振動させて各反応容器２の中のレジン粒１４を揺する振動部１６が設置されている他、反応過程で各反応容器２に生じる不要物を排出する排出用トレイ１７、及び、合成反応により各反応容器２で得られた合成化合物を各反応容器２ごとに回収する回収用ブロック１８も、それぞれ反応ブロック１の下側位置と待機位置の間を移動可能に配設されている。
【００１７】
なお、実施例の自動合成装置における合成プロセスでは、必要な試薬や溶媒が分注供給された各反応容器２のレジン粒１４の内で固相反応が進行して目的の合成化合物が得られる。合成反応終了後は、レジン粒１４の内部に生成した化合物を取り出す抽出用（酸性）薬液を注入口から送り込む。化合物が抽出されたら、ガスボンベＧＢの加圧気体をガス導入ライン１３から導入し、合成化合物を抽出用薬液と一緒に加圧透液型フィルタ１１を透過させてドレイン１２から回収用ブロック１８へ押し流す。
【００１８】
次に、実施例装置の制御系の構成を説明する。実施例の自動合成装置の場合、装置稼働に必要な種々の画面を表示する映像表示モニタ１９や装置稼働に必要な種々の制御を適時に実行するコントロール部２０を備えるとともに、このコントロール部２０に接続される例えば入力操作用のキーボード（操作卓）２１やマウス（ポインティングデバイス）２２など入力操作装置を備えている他、後述する合成プロトコルを記憶する（書き込む）並びに読み出す、合成プロトコルの範囲を設定する、パラメータを設定する、または合成プロトコルを変更するため等の特徴的な構成を備えている。以下、この特徴的な構成を中心として具体的に説明する。
【００１９】
実施例装置のコントロール部２０は、装置稼動に必要な画面を映像表示モニタ１９に映し出す画面表示部２３と、キーボード２１やマウス２２などの入力操作装置により予め入力設定された合成プロトコルを記憶する合成プロトコル記憶部２４と、合成プロトコル記憶部２４に記憶されている合成プロトコル内の分注手順通りに分注動作を実行させるための指令信号を液体分注部３へ送出する分注制御部２５と、画面表示部２３によって表示された合成プロトコルの範囲を入力操作に基づいて設定する範囲設定部２６と、範囲設定部２６に基づいて合成プロトコルにおける個々の合成コマンドを決定するコマンド決定部２７と、コマンド決定部２７によって決定された合成コマンドのパラメータを読み出して表示してその合成コマンドのパラメータを入力操作に基づいて変更してパラメータ設定を行うパラメータ設定部２８と、パラメータ設定部２８によって変更された合成コマンドのパラメータに基づいて、合成プロトコルを変更する合成プロトコル変更部２９とを備えている。
【００２０】
画面表示部２３は、作業者が合成プロトコルを設定するための合成プロトコル設定画面や、パラメータを変更設定するパラメータ変更設定画面といったウィザード形式の画面などの各種の画面を適宜表示するものである。なお、この画面表示部２３に表示される前記合成プロトコル設定画面は、本発明におけるプロトコル表示手段に相当する。
【００２１】
合成プロトコル記憶部２４は、映像表示モニタ１９に表示された合成プロトコル設定画面に従ってキーボード２１やマウス２２を用いて設定された合成プロトコルを記憶するものである。この合成プロトコルは、複数種類の合成反応を行う際に実施する工程、各工程の実施順序、各工程の詳細な手順などが設定されたものである。例えば、これらの工程には、所定の反応容器２に所定の薬液を分注する分注工程、反応ブロック１を揺すって反応容器２内を攪拌する攪拌工程、反応容器２内やシリンジ４内などの溶液を排液する排液工程、シリンジ４内の溶液をパージするパージ工程、各容器を洗浄する容器洗浄工程、装置を待機させる待機工程、反応ブロック１を昇温または降温させる温度調節工程などの工程がある。例えば、ある攪拌工程では、９００ｒｐｍで電動モータを回転させて、反応ブロック１を１時間揺動させるというような手順が設定される。同様にして、他の各工程にも、その工程に応じた装置の制御手順が設定されている。このように、これら各工程に必要なパラメータを設定することによって合成プロトコルが構成される。なお、この合成プロトコル記憶部２４は、本発明における合成プロトコル記憶部手段に相当する。
【００２２】
なお、合成プロトコル記憶部２４に格納されている合成プロトコルは、キーボード２１やマウス２２によって読み出され、さらに画面表示部２３によって映像表示モニタ１９の合成プロトコル設定画面に表示される。例えば、図４に示すように、合成プロトコル設定画面１９Ａのツールバー１９ａの『開く』のアイコンをクリックして、合成プロトコル記憶部２４に格納されている合成プロトコル（具体的には合成プロトコルのファイル名及びその合成プロトコルが保存されているディレクトリ等）を指定すると、その指定された合成プロトコルは合成プロトコル記憶部２４から読み出されて、合成プロトコル１９ｂとして表示される。なお、ファイルを開く方法は、上記のツールバー１９ａを用いる方法以外に、メニューバー１９ｃの『ファイル』をマウス２２でクリックして開く方法や、キーボード２１でショートカットキー（例えば、『Ctrl』キーと『Ｏ』キーとを同時に打ち込む）を打ち込んで開く方法等、通常よく知られている手段で画面上からファイルを開く方法ならば特に限定されない。
【００２３】
読み出された合成プロトコル１９ｂは、図４に示すように、左側区域Ｌｂに行番号が合成プロトコル順に連続して縦に割り振られていて、右側区域Ｒｂに各々の手順の実行命令、即ち合成コマンドが前記行番号に対応して縦に表示されている。例えば、『行番号３７』の右側には実行命令『分注  頻用試薬ラック／３Ａから反応ラック５Ａへ２５０μＬ使用溶媒＝溶媒ー３（シリンジ３）』が表示されている。ここで、上記『頻用試薬ラック』は頻用試薬容器（頻用試薬バイアル）６を示し、上記『反応ラック』は反応容器２を示し、上記『使用溶媒』は溶媒容器（ガロンビン）８内の使用溶媒を示し、上記『シリンジ』は使用溶媒を吸入及び注入する使用溶媒用のシリンジ４を示す。また、本実施例では、頻用試薬については図示を省略する６個の頻用試薬容器（頻用試薬バイアル）６からなるブロックで構成されており、行方向に（１、２、３）行、列方向に（Ａ、Ｂ）列ずつ並べられている。上記『頻用試薬ラック３／Ａ』は、頻用試薬容器（頻用試薬バイアル）６の６個のブロックのうち、３行Ａ列にある容器を示す。同様に、本実施例では、反応容器（反応ラック）については図示を省略する９６個の反応容器２からなるブロックで構成されており、行方向に（１、２、…、１１、１２）行、列方向に（Ａ、Ｂ、Ｃ、Ｄ、Ｅ、Ｆ、Ｇ、Ｈ）列ずつ並べられている。上記『反応ラック５Ａ』は反応容器２の９６個のブロックのうち、５行Ａ列にある容器を示す。同様に、本実施例では、溶媒容器（ガロンビン）８は全部で４つあり、上記『溶媒ー３』は３番目の溶媒容器（ガロンビン）８を示す。シリンジ４は全部で４つあり、上記『シリンジ３』は３番目のシリンジ４を示す。従って、『行番号３７』の上記実行命令は、３行Ａ列にある頻用試薬容器（頻用試薬バイアル）６から２５０μＬ分の頻用試薬を５行Ａ列にある反応容器２へ３番目の使用溶媒用のシリンジ４と３番目の溶媒容器（ガロンビン）８内の使用溶媒を使って注入する、分注工程を示す。
【００２４】
分注制御部２５は、合成プロトコルに含まれる分注工程に応じた指令信号を液体分注部３へ送信する。また、合成プロトコルに含まれる他の工程に応じた指令信号も反応系側の対応する機構に送られる。そして、合成プロトコルに含まれる各工程が実行されることで、各反応容器２にはそれぞれの条件に応じた合成化合物がそれぞれ生成される。
【００２５】
範囲設定部２６は、画面表示部２３によって映像表示モニタ１９の合成プロトコル設定画面１９Ａに表示された合成プロトコル１９ｂの範囲を、キーボード２１やマウス２２を用いた入力設定に基づいて設定するものである。例えば、変更したい合成プロトコル１９ｂの範囲が『行番号３６』から『行番号５９』までのとき、作業者はマウス２２で始点『行番号３６』をクリックした後、終点『行番号５９』までドラッグ操作を行なう。なお、範囲を設定する方法は、マウス２２でドラッグ操作を行なう方法に限らず、マウス２２で始点『行番号３６』をクリックした後、キーボード２１上の『Shift 』キーを押さえながらマウス２２で終点『行番号５９』をクリックする方法等、通常よく知られている手段で画面上から範囲を設定する方法ならば特に限定されない。もちろん、上記のように変更したい範囲が連続した範囲だけでなく、複数個の連続しない箇所を変更したい範囲とすることもできる。例えば、変更したい合成プロトコル１９ｂの範囲が『行番号３６』から『行番号３８』までと『行番号６０』から『行番号６２』までのとき、マウス２２で始点『行番号３６』をクリックした後、終点『行番号３８』までドラッグ操作を行ない、さらにキーボード２１上の『Ctrl』キーを押さえながらマウス２２で始点『行番号６０』をクリックした後、終点『行番号６２』までドラッグ操作を行なうことで、複数個の連続しない箇所について設定することができる。なお、範囲設定部２６によって設定された合成プロトコル１９ｂの範囲は、図５に示すように、範囲１９ｄとして画面の色に対して反転する。また、この範囲設定部２６によって、変更したい合成プロトコルの範囲１９ｄが決まるので、変更したい範囲と変更しない範囲とが瞬別できる。この範囲設定部２６は、本発明における範囲設定手段に相当する。
【００２６】
コマンド決定部２７は、範囲設定部２６によって決定された合成プロトコルの範囲を読み込み、その範囲に相当する合成コマンドを決定づけるものである。例えば、図５に示すように、範囲設定部２６によって設定された『行番号３６』から『行番号５９』までの範囲１９ｄは分注工程に関する工程である。従って、コマンド決定部２７によって、範囲１９ｄの分注工程を構成付けている各々のコマンドである反応容器２の注入先指定の『注入』、『注入量』及び『使用溶媒』等が決定づけられる。範囲１９ｄをマウス２２の右ボタンでクリックすると、コマンド決定部２７によって決定された上記のコマンド『注入』、『注入量』及び『使用溶媒』がプルダウンメニュー１９ｅとして重畳表示される。なお、攪拌工程なら攪拌する『時間』、及び『回転数』等が、排液工程なら排液する『時間』、排液を行なう反応容器２の指定『区画』、及び『バルブ』等が、コマンド決定部２７によって決定づけられて、同様にマウス２２の右ボタンクリックによってプルダウンメニュー１９ｅとして重畳表示される。なお、上記決定されたコマンドを表示させる方法は、マウス２２の右ボタンでクリックする方法だけに限らず、図４のメニューバー１９ｃの『編集』をマウス２２でクリックしてコマンドを表示させる方法等、通常よく知られている手段で画面上から表示させる方法ならば特に限定されない。このコマンド決定部２７は、本発明におけるコマンド決定手段に相当する。
【００２７】
パラメータ設定部２８は、コマンド決定部２７によって決定された合成コマンドのパラメータを読み出して映像表示モニタ１９のパラメータ変更設定画面に表示して、さらにキーボード２１やマウス２２を用いた入力設定に基づいてその合成コマンドのパラメータを変更してパラメータ設定を行う。例えば、図５に示すように、重畳表示された上記プルダウンメニュー１９ｅの『注入量』をマウス２２の右ボタンでドラッグしながら選択すると、注入量の要素を決めているパラメータ、即ち注入量『２５０μＬ』が読み出される。このとき範囲１９ｄの色はさらに反転して画面の色と同じ色に戻る。その読み出されたパラメータは、図６に示すように、パラメータ変更設定画面１９ｆとして重畳表示される。さらに変更する前の現在の注入量『２５０μＬ』がパラメータ変更設定画面１９ｆの『現在』の段に表示される。また上記『現在』の下段には『変更』が表示されていて変更したいパラメータの値をキーボード２１等によって手入力できる。例えば、現在の注入量『２５０μＬ』から『２３０μＬ』に変更したい場合には、『変更』の段に『２３０』と手入力を行なうことで、パラメータ設定ができる。パラメータ変更設定画面１９ｆの再下段の『ＯＫ』ボタンによって、『２５０μＬ』から手入力による『２３０μＬ』に変更される。もし変更しない場合には、手入力操作の後でもパラメータ変更設定画面１９ｆの再下段の『キャンセル』ボタンによって解除することができる。もちろん、『注入量』以外のコマンドを選択すれば、その選択されたパラメータに応じて、パラメータ変更設定画面１９ｆに表示されるパラメータは変化する。なお、上記パラメータを設定する方法は、マウス２２の右ボタンでクリックする方法だけに限らず、先述したように図４のメニューバー１９ｃの『編集』をマウス２２でクリックしてコマンドを表示させて、『注入量』等のように合成コマンドをクリックして、その合成コマンドのパラメータを設定する方法等、通常よく知られている手段で画面上から設定する方法ならば特に限定されない。このパラメータ設定部２８によって、変更する前の合成コマンドのパラメータと、変更設定したいパラメータとが瞬別できる。なお、パラメータ設定部２８は、本発明におけるパラメータ設定手段に相当する。
【００２８】
合成プロトコル変更部２９は、パラメータ設定部２８によって変更された合成コマンドのパラメータに基づいて、元の合成プロトコルを変更する。例えば、先述の通り『注入量』を『２５０μＬ』から『２３０μＬ』に変更設定すると、図７に示すように、図５の範囲１９ｄは範囲１９Ｄに一斉に変換される。即ち、注入量である『２５０μＬ』が一括に『２３０μＬ』に置き換わる。もちろん、範囲設定部２６によって設定された範囲１９ｄ以外の部分については、変更されずにそのままである。なお、この合成プロトコル変更部２９は、本発明における合成プロトコル変更手段に相当する。
【００２９】
上記の実施例装置の制御系の構成は、パーソナルコンピュータ及びソフトウエア（コンピュータプログラム）を中心に構築されている。また、コントロール部２０内の合成プロトコル記憶部２４などは、ＲＡＭやＲＯＭなどの記憶装置で構成され、画面表示部２３、分注制御部２５、範囲設定部２６、コマンド決定部２７、パラメータ設定部２８、合成プロトコル変更部２９などの処理制御部は、それらの処理を行うためのプログラムを実行するＣＰＵなどで構成されている。
【００３０】
続いて、図８に示すフローチャートを参照しながら、上記構成を有する実施例装置におけるこの発明の特徴的部分の処理を説明する。
【００３１】
ステップＳ１（合成プロトコルの表示）
作業者はキーボード２１やマウス２２を操作して、図４に示すような合成プロトコル設定画面１９Ａを映像表示モニタ１９に表示させる。ステップＳ１は、本発明におけるプロトコル表示手段の機能に相当する。
【００３２】
ステップＳ２（合成プロトコルの範囲設定）
作業者は、合成プロトコル設定画面１９Ａに表示された合成プロトコル１９ｂの範囲を、キーボード２１やマウス２２を用いて設定する。設定された合成プロトコル１９ｂの範囲は、図５に示すように、範囲１９ｄとして画面の色に対して反転する。この反転によって、変更したい範囲と変更しない範囲とが瞬別できる。ステップＳ２は、本発明における範囲設定手段の機能に相当する。
【００３３】
ステップＳ３（合成コマンドの決定）
ステップＳ２で設定された範囲１９ｄに基づいて、その範囲１９ｄを構成付けている各々のコマンドを決定する。決定された各々のコマンドは、図５に示すように、プルダウンメニュー１９ｅ等の画面に重畳表示される。ステップＳ３は、本発明におけるコマンド決定手段の機能に相当する。
【００３４】
ステップＳ４（合成コマンドのパラメータ設定）
作業者は、図５に示すようなプルダウンメニュー１９ｅ等の画面から変更したい合成コマンドを選択する。選択された合成コマンドのパラメータは、図６に示すように、パラメータ変更設定画面１９ｆ等に重畳表示される。変更したいパラメータをパラメータ変更設定画面１９ｆより手入力等で設定する。また、変更する前の合成コマンドのパラメータと、変更設定したいパラメータとをパラメータ変更設定画面１９ｆ上に一覧表示させることにより、変更する前の合成コマンドのパラメータと、変更設定したいパラメータとが瞬別できる。さらに、手入力を行なった後でも、パラメータ変更設定画面１９ｆの『キャンセル』ボタンで解除できるので、作業者の入力設定ミスを防止することができる。なお、ステップＳ４は、本発明におけるパラメータ設定手段の機能に相当する。
【００３５】
ステップＳ５（合成プロトコルの変更）
ステップＳ４で設定された合成コマンドのパラメータによって、図７に示すように、パラメータ変更設定画面１９ｆの範囲１９ｄは範囲１９Ｄに一斉に変換されて、選択された範囲１９ｄ以外の部分については、変更されずにそのままである。ステップＳ５までのステップを踏むことで、ひとつの合成プロトコルの設定が完了する。また、変更したい部分のみ一括に変更することによって合成プロトコルの設定までの作業効率が良くなる。なお、ステップＳ５は、本発明における合成プロトコル変更手段の機能に相当する。
【００３６】
ステップＳ６（合成プロトコルの設定判断）
設定しなければならない合成プロトコルが、なお残っていれば、ステップＳ２に戻り、次の合成プロトコルの設定に取りかかる。設定しなければならない合成プロトコルが無ければ、設定操作は終了である。
【００３７】
上述したステップＳ１〜Ｓ６によって設定された合成プロトコルは、合成プロトコルを変更するときに備えて、再度合成プロトコル記憶部２４に書き込まれる。また上記合成プロトコルに基づいて、実施例装置は合成反応を行なう。
【００３８】
以上に詳述したように、実施例の自動合成装置によれば、範囲設定部２６によって、変更したい範囲と変更しない範囲とが瞬別できる。また、パラメータ設定部２８によって、変更する前の合成コマンドのパラメータと、変更設定したいパラメータとをパラメータ変更設定画面１９ｆ上に一覧表示させることにより、変更する前の合成コマンドのパラメータと、変更設定したいパラメータとが瞬別できる。さらに、手入力を行なった後でも、パラメータ変更設定画面１９ｆの『キャンセル』ボタンで解除できるので、作業者の入力設定ミスを未然に防止することができる。また、合成プロトコル変更部２９によって、以前作成された合成プロトコルが再利用されて、かつ一括に変更することもできるので合成プロトコルの設定までの作業効率が良くなる。
【００３９】
この発明は、上記実施形態に限られることはなく、下記のように変形実施することができる。
【００４０】
（１）上述した実施例では、図４に示すように、過去に設定された合成プロトコルを読み出して合成プロトコルの設定変更を行なったが、これに限定されるものではなく、例えば、合成プロトコル設定画面１９Ａのツールバー１９ａの『新規作成』のアイコンをクリックして、新規の合成プロトコルを作成しておいて、その後で合成プロトコルの設定変更を行なうこともできる。もちろん、新規の合成プロトコルを作成する方法は、上記のツールバー１９ａを用いる方法以外に、メニューバー１９ｃの『ファイル』をマウス２２でクリックして作成する方法や、キーボード２１でショートカットキー（例えば、『Ctrl』キーと『Ｎ』キーとを同時に打ち込む）を打ち込む方法や、他のファイルを読み出していない状態で合成プロトコル設定画面１９Ａから直接作成する方法等、通常よく知られている手段で画面上から新規のファイルを作成する方法ならば特に限定されない。
【００４１】
（２）上述した実施例の自動合成装置では、反応系が１組であったが、１組の制御系でコントロールされる同一の反応系が２組設けられている構成の装置が、変形例として挙げられる。
【００４２】
（３）実施例装置は有機自動合成装置であり、また固相反応により化合物が合成される構成であったが、この発明の装置は、無機自動合成装置であってもよいし、また液相反応により化合物が合成される構成の装置であってもよい。
【００４３】
【発明の効果】
以上に詳述したように、請求項１の発明に係る自動合成装置によれば、合成プロトコル変更手段によって、以前作成された合成プロトコルが再利用されて、かつ一括に変更することもできるので合成プロトコルの設定までの作業効率が良くなる。また、プロトコル表示手段と範囲設定手段とによって、合成プロトコルが一覧表示されて変更したい合成プロトコルの範囲が決まるので、変更したい範囲と変更しない範囲とが瞬別できる。また、コマンド決定手段と、パラメータ設定手段とによって、変更する前の合成コマンドのパラメータと、変更設定したいパラメータとが瞬別できる。これらによって、作業者の入力設定ミスを防止することができる。
【図面の簡単な説明】
【図１】実施例に係る自動合成装置の全体構成を示すブロック図である。
【図２】実施例装置の反応系の構成を示す平面図である。
【図３】実施例装置の反応ブロックの要部構成を示す概略図である。
【図４】実施例装置の合成プロトコル設定画面を示す図である。
【図５】範囲を設定してからパラメータを設定するまでの合成プロトコル設定画面を示す図である。
【図６】パラメータ変更設定画面を示す図である。
【図７】設定変更後の合成プロトコル設定画面を示す図である。
【図８】合成プロトコルを読み出してから合成プロトコルを設定変更するまでの流れを示すフローチャートである。
【符号の説明】
１  …  反応ブロック
２  …  反応容器
３  …  液体分注部
１９  …  映像表示モニタ
２１  …  キーボード
２２  …  マウス
２３  …  画面表示部
２４  …  合成プロトコル記憶部
２５  …  分注制御部
２６  …  範囲設定部
２７  …  コマンド決定部
２８  …  パラメータ設定部
２９  …  合成プロトコル変更部
【図１】
0004356180.tif 000002
【図２】
0004356180.tif 000003
【図３】
0004356180.tif 000004
【図４】
0004356180.tif 000005
【図５】
0004356180.tif 000006
【図６】
0004356180.tif 000007
【図７】
0004356180.tif 000008
【図８】
0004356180.tif 000009